(57)【特許請求の範囲】
【請求項１】
予め複数のデータファイルをファイル記憶手段に記憶しておき、発呼側装置から受信した所定のファイル指定用信号により通知された選択番号に基づいて特定されるデータファイルを前記ファイル記憶手段から読み出して前記発呼側装置に送信する選択ポーリング送信機能を備えた通信端末装置において、
前記所定のファイル指定用信号により前記発呼側装置から受信したコード列を特定の区切りコードで区切って１つまたは複数の選択番号を抽出して抽出選択番号テーブルに登録する特定コード区切り選択番号抽出手段と、
前記抽出選択番号テーブルに登録された各選択番号に対応して前記ファイル記憶手段に記憶されているデータファイルを送信対象ファイル登録リストに登録する送信対象ファイル選択手段と、
前記送信対象ファイル登録リストに登録された各送信対象データファイルを前記ファイル記憶手段から読み出して前記発呼側装置に送信するファイル送信手段と
を備えたことを特徴とする通信端末装置。
【請求項２】
前記抽出選択番号テーブルに登録された各選択番号に対応するデータファイルが前記ファイル記憶手段に１つでも存在しない場合、前記送信対象ファイル登録リストに登録されているデータファイルの全ての登録を抹消して前記ファイル送信手段によるデータファイルの送信を行わせない手段を更に備えたことを特徴とする請求項１に記載の通信端末装置。
【請求項３】
前記抽出選択番号テーブルに登録された各選択番号に対応するデータファイルが前記ファイル記憶手段に１つでも存在しない場合、前記送信対象ファイル登録リストに登録されているデータファイルの全ての登録を抹消することにより前記ファイル送信手段によるデータファイルの送信を行わせない手段と、前記抽出選択番号テーブルに登録された各選択番号に対応するデータファイルが前記ファイル記憶手段に１つでも存在しない場合、その旨通知するデータを前記発呼側装置に送信する手段とを更に備えたことを特徴とする請求項１に記載の通信端末装置。
【請求項４】
予め複数のデータファイルをファイル記憶手段に記憶しておき、発呼側装置から受信した所定のファイル指定用信号により通知された選択番号に基づいて特定されるデータファイルを前記ファイル記憶手段から読み出して前記発呼側装置に送信する選択ポーリング送信機能を備えた通信端末装置において、
前記所定のファイル指定用信号により前記発呼側装置から受信したコード列を所定の区切り桁数ずつ区切って１つまたは複数の選択番号を抽出して抽出選択番号テーブルに登録する固定桁区切り選択番号抽出手段と、
前記抽出選択番号テーブルに登録された各選択番号に対応して前記ファイル記憶手段に記憶されているデータファイルを送信対象ファイル登録リストに登録する送信対象ファイル選択手段と、
前記送信対象ファイル登録リストに登録された各送信対象データファイルを前記ファイル記憶手段から読み出して前記発呼側装置に送信するファイル送信手段と、
前記所定のファイル指定用信号により前記発呼側装置から受信したコード列の桁数が前記所定の区切り桁数の倍数以外である場合、前記発呼側装置から着呼した通信を終了させて、前記ファイル送信手段によるデータファイルの送信を行わせない選択番号桁数不整合対応手段とを備えたことを特徴とする通信端末装置。
【請求項５】
予め複数のデータファイルをファイル記憶手段に記憶しておき、発呼側装置から受信した所定のファイル指定用信号により通知された選択番号に基づいて特定されるデータファイルを前記ファイル記憶手段から読み出して前記発呼側装置に送信する選択ポーリング送信機能を備えた通信端末装置において、
前記所定のファイル指定用信号により前記発呼側装置から受信したコード列を所定の区切り桁数ずつ区切って１つまたは複数の選択番号を抽出して抽出選択番号テーブルに登録する固定桁区切り選択番号抽出手段と、
前記抽出選択番号テーブルに登録された各選択番号に対応して前記ファイル記憶手段に記憶されているデータファイルを送信対象ファイル登録リストに登録する送信対象ファイル選択手段と、
前記送信対象ファイル登録リストに登録された各送信対象データファイルを前記ファイル記憶手段から読み出して前記発呼側装置に送信するファイル送信手段とを備え、
前記所定のファイル指定用信号により前記発呼側装置から受信したコード列の桁数が前記所定の区切り桁数の倍数以外である場合、前記固定桁区切り選択番号抽出手段は、前記所定のファイル指定用信号により前記発呼側装置から受信したコード列を前記所定の区切り桁数の選択番号が得られるところまで前記所定の区切り桁数で区切って１つまたは複数の選択番号を抽出して前記抽出選択番号テーブルに登録するものであることを特徴とする通信端末装置。
【請求項６】
前記ファイル記憶手段に記憶された各データファイルには、それぞれ必要に応じて登録パスワード番号が対応付けられている一方、所定のパスワード指定用信号により前記発呼側装置から受信したコード列を特定の区切りコードで区切って１つまたは複数のパスワード番号を、前記特定コード区切り選択番号抽出手段における選択番号の抽出順序と同一規則で抽出して、前記抽出選択番号テーブルに登録された各選択番号と対応付けて抽出パスワード番号テーブルに登録する特定コード区切りパスワード番号抽出手段を備えたことを特徴とする請求項１、２または３のいずれかに記載の通信端末装置。
【請求項７】
前記特定コード区切りパスワード番号抽出手段により抽出されたパスワード番号がパスワード指定なしを示す所定の番号であった場合、当該抽出されたパスワード番号に前記抽出選択番号テーブルにおいて対応する選択番号については前記抽出パスワード番号テーブルにパスワード番号指定なしの旨登録する手段を備えたことを特徴とする請求項６に記載の通信端末装置。
【請求項８】
前記特定コード区切りパスワード番号抽出手段は、前記所定のパスワード指定用信号により前記発呼側装置から受信したコード列を前記特定の区切りコードで区切って抽出したパスワード番号を前記抽出パスワード番号テーブルに登録する際に、前記抽出選択番号テーブルに登録された、当該抽出したパスワード番号に対応する選択番号に対応して前記ファイル記憶手段に記憶されたデータファイルについての登録パスワード番号が未登録の場合には、当該抽出したパスワード番号を、当該パスワード番号に対応して前記抽出選択番号テーブルに登録された選択番号の次に登録されている選択番号に対応付けて登録することを特徴とする請求項６に記載の通信端末装置。
【請求項９】
前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、前記送信対象ファイル登録リストに登録されているデータファイルの全ての登録を抹消して前記ファイル送信手段によるデータファイルの送信を行わせない手段を更に備えたことを特徴とする請求項６、７または８のいずれかに記載の通信端末装置。
【請求項１０】
前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、前記送信対象ファイル登録リストに登録されているデータファイルのうちの、対応して前記登録パスワード番号が登録されていないもの以外の登録を抹消して前記送信対象ファイル登録リストに登録されているデータファイルのうちの、対応して前記登録パスワード番号が登録されていないもののみの送信を前記ファイル送信手段に行わせる手段を更に備えたことを特徴とする請求項６、７または８のいずれかに記載の通信端末装置。
【請求項１１】
前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、前記送信対象ファイル登録リストに登録されているデータファイルの全ての登録を抹消して前記ファイル送信手段によるデータファイルの送信を行わせない手段と、前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、その旨通知するデータを前記発呼側装置に送信する手段とを更に備えたことを特徴とする請求項６に記載の通信端末装置。
【発明の詳細な説明】
【０００１】
【発明の属する技術分野】
本発明は、公衆網やネットワーク等を介してファクシミリメッセージをやりとりするファクシミリ装置等の通信端末装置に関し、特に、選択ポーリング送信機能を備えた通信端末装置に関する。
【０００２】
【従来の技術】
Ｇ３ファクシミリ装置においては、その通信プロトコルを規定したＩＴＵ−Ｔ勧告Ｔ．３０により選択ポーリング用の制御信号として、セレクティブポーリング信号ＳＥＰ及びパスワード信号ＰＷＤが規定されている。
【０００３】
セレクティブポーリング信号ＳＥＰは、２０桁の範囲内の選択番号により発呼側から着呼側に対してポーリング送信すべき画情報ファイルを指定するための信号である。着呼側は、ポーリング送信時にセレクティブポーリング信号ＳＥＰにより選択番号が通知されると、予め複数記憶していた画情報ファイルのうちの当該通知された選択番号に対応する画情報ファイルを発呼側に送信する。それにより、所望する画情報ファイルを発呼側が得ることができる。
【０００４】
パスワード信号ＰＷＤは、セレクティブポーリング信号ＳＥＰにより選択番号が指定された場合に、その選択番号により指定された画情報ファイルを無条件に発呼側にポーリング送信しないで、その選択番号により指定された画情報ファイルに予め対応付けて登録しておいたパスワード番号がパスワード信号ＰＷＤより通知されたパスワード信号ＰＷＤ番号と一致した場合にのみ発呼側にポーリング送信することにより、選択ポーリング送信における通信情報の漏えいを防ぐために使用されるものである。
【０００５】
【発明が解決しようとする課題】
しかし、従来の選択ポーリング通信では、１回の通信で１つの画情報ファイルしか指定できないため、発呼側が着呼側に蓄積された複数の画情報ファイルを得たい場合には、得たい画情報ファイルの数と同じ回数の選択ポーリング受信操作を繰り返す必要があり、操作が煩雑で使い勝手がよくないという問題点があった。
【０００６】
また、例え、１回の選択ポーリング通信で複数の画情報ファイルを指定できるようになったとしても、従来の選択ポーリング通信では、１つのパスワード番号しか指定できなかったため、指定した各画情報ファイルについてのパスワード番号を個別指定できず、通信情報の漏えいを防ぐことができないという問題点がある。
【０００７】
Ｇ３ファクシミリ装置に限らず、選択ポーリング送信機能を備えた通信端末装置においては、上記各問題点と同様の問題がある。
【０００８】
本発明は係る事情に鑑みてなされたものであり、１回の通信で複数のデータファイルを選択ポーリング送信でき、また、指定された複数のデータファイルのそれぞれについて、パスワード番号を指定した選択ポーリング送信を行える通信端末装置を提供することを目的とする。
【０００９】
【課題を解決するための手段】
請求項１に記載の通信端末装置は、予め複数のデータファイルをファイル記憶手段に記憶しておき、発呼側装置から受信した所定のファイル指定用信号により通知された選択番号に基づいて特定されるデータファイルを前記ファイル記憶手段から読み出して前記発呼側装置に送信する選択ポーリング送信機能を備えた通信端末装置において、前記所定のファイル指定用信号により前記発呼側装置から受信したコード列を特定の区切りコードで区切って１つまたは複数の選択番号を抽出して抽出選択番号テーブルに登録する特定コード区切り選択番号抽出手段と、前記抽出選択番号テーブルに登録された各選択番号に対応して前記ファイル記憶手段に記憶されているデータファイルを送信対象ファイル登録リストに登録する送信対象ファイル選択手段と、前記送信対象ファイル登録リストに登録された各送信対象データファイルを前記ファイル記憶手段から読み出して前記発呼側装置に送信するファイル送信手段とを備えたことを特徴とする。
【００１１】
請求項２に記載の通信端末装置は、請求項１に記載の通信端末装置において、前記抽出選択番号テーブルに登録された各選択番号に対応するデータファイルが前記ファイル記憶手段に１つでも存在しない場合、前記送信対象ファイル登録リストに登録されているデータファイルの全ての登録を抹消して前記ファイル送信手段によるデータファイルの送信を行わせない手段を更に備えたことを特徴とする。
【００１３】
請求項３に記載の通信端末装置は、請求項１に記載の通信端末装置において、前記抽出選択番号テーブルに登録された各選択番号に対応するデータファイルが前記ファイル記憶手段に１つでも存在しない場合、前記送信対象ファイル登録リストに登録されているデータファイルの全ての登録を抹消することにより前記ファイル送信手段によるデータファイルの送信を行わせない手段と、前記抽出選択番号テーブルに登録された各選択番号に対応するデータファイルが前記ファイル記憶手段に１つでも存在しない場合、その旨通知するデータを前記発呼側装置に送信する手段とを更に備えたことを特徴とする。
【００１４】
請求項４に記載の通信端末装置は、予め複数のデータファイルをファイル記憶手段に記憶しておき、発呼側装置から受信した所定のファイル指定用信号により通知された選択番号に基づいて特定されるデータファイルを前記ファイル記憶手段から読み出して前記発呼側装置に送信する選択ポーリング送信機能を備えた通信端末装置において、前記所定のファイル指定用信号により前記発呼側装置から受信したコード列を所定の区切り桁数ずつ区切って１つまたは複数の選択番号を抽出して抽出選択番号テーブルに登録する固定桁区切り選択番号抽出手段と、前記抽出選択番号テーブルに登録された各選択番号に対応して前記ファイル記憶手段に記憶されているデータファイルを送信対象ファイル登録リストに登録する送信対象ファイル選択手段と、前記送信対象ファイル登録リストに登録された各送信対象データファイルを前記ファイル記憶手段から読み出して前記発呼側装置に送信するファイル送信手段と、前記所定のファイル指定用信号により前記発呼側装置から受信したコード列の桁数が前記所定の区切り桁数の倍数以外である場合、前記発呼側装置から着呼した通信を終了させて、前記ファイル送信手段によるデータファイルの送信を行わせない選択番号桁数不整合対応手段とを備えたことを特徴とする。
【００１５】
請求項５に記載の通信端末装置は、予め複数のデータファイルをファイル記憶手段に記憶しておき、発呼側装置から受信した所定のファイル指定用信号により通知された選択番号に基づいて特定されるデータファイルを前記ファイル記憶手段から読み出して前記発呼側装置に送信する選択ポーリング送信機能を備えた通信端末装置において、前記所定のファイル指定用信号により前記発呼側装置から受信したコード列を所定の区切り桁数ずつ区切って１つまたは複数の選択番号を抽出して抽出選択番号テーブルに登録する固定桁区切り選択番号抽出手段と、前記抽出選択番号テーブルに登録された各選択番号に対応して前記ファイル記憶手段に記憶されているデータファイルを送信対象ファイル登録リストに登録する送信対象ファイル選択手段と、前記送信対象ファイル登録リストに登録された各送信対象データファイルを前記ファイル記憶手段から読み出して前記発呼側装置に送信するファイル送信手段とを備え、前記所定のファイル指定用信号により前記発呼側装置から受信したコード列の桁数が前記所定の区切り桁数の倍数以外である場合、前記固定桁区切り選択番号抽出手段は、前記所定のファイル指定用信号により前記発呼側装置から受信したコード列を前記所定の区切り桁数の選択番号が得られるところまで前記所定の区切り桁数で区切って１つまたは複数の選択番号を抽出して前記抽出選択番号テーブルに登録するものであることを特徴とする。
【００１６】
請求項６に記載の通信端末装置は、請求項１、２または３のいずれかに記載の通信端末装置において、前記ファイル記憶手段に記憶された各データファイルには、それぞれ必要に応じて登録パスワード番号が対応付けられている一方、所定のパスワード指定用信号により前記発呼側装置から受信したコード列を特定の区切りコードで区切って１つまたは複数のパスワード番号を、前記特定コード区切り選択番号抽出手段における選択番号の抽出順序と同一規則で抽出して、前記抽出選択番号テーブルに登録された各選択番号と対応付けて抽出パスワード番号テーブルに登録する特定コード区切りパスワード番号抽出手段を備えたことを特徴とする。
【００１８】
請求項請求項７に記載の通信端末装置は、請求項６に記載の通信端末装置において、前記特定コード区切りパスワード番号抽出手段により抽出されたパスワード番号がパスワード指定なしを示す所定の番号であった場合、当該抽出されたパスワード番号に前記抽出選択番号テーブルにおいて対応する選択番号については前記抽出パスワード番号テーブルにパスワード番号指定なしの旨登録する手段を備えたことを特徴とする。
【００１９】
請求項８に記載の通信端末装置は、請求項６に記載の通信端末装置において、前記特定コード区切りパスワード番号抽出手段は、前記所定のパスワード指定用信号により前記発呼側装置から受信したコード列を前記特定の区切りコードで区切って抽出したパスワード番号を前記抽出パスワード番号テーブルに登録する際に、前記抽出選択番号テーブルに登録された、当該抽出したパスワード番号に対応する選択番号に対応して前記ファイル記憶手段に記憶されたデータファイルについての登録パスワード番号が未登録の場合には、当該抽出したパスワード番号を、当該パスワード番号に対応して前記抽出選択番号テーブルに登録された選択番号の次に登録されている選択番号に対応付けて登録することを特徴とする。
【００２０】
請求項９に記載の通信端末装置は、請求項６、７または８のいずれかに記載の通信端末装置において、前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、前記送信対象ファイル登録リストに登録されているデータファイルの全ての登録を抹消して前記ファイル送信手段によるデータファイルの送信を行わせない手段を更に備えたことを特徴とする。
【００２２】
請求項請求項１０に記載の通信端末装置は、請求項６、７または８のいずれかに記載の通信端末装置において、前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、前記送信対象ファイル登録リストに登録されているデータファイルのうちの、対応して前記登録パスワード番号が登録されていないもの以外の登録を抹消して前記送信対象ファイル登録リストに登録されているデータファイルのうちの、対応して前記登録パスワード番号が登録されていないもののみの送信を前記ファイル送信手段に行わせる手段を更に備えたことを特徴とする。
【００２５】
請求項１１に記載の通信端末装置は、請求項６に記載の通信端末装置において、前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、前記送信対象ファイル登録リストに登録されているデータファイルの全ての登録を抹消して前記ファイル送信手段によるデータファイルの送信を行わせない手段と、前記送信対象ファイル登録リストに登録された各データファイルに対応して登録されている前記登録パスワード番号が、当該各データファイルに対応して前記抽出選択番号テーブルに登録された選択番号に前記抽出パスワード番号テーブルにおいて対応するパスワード番号と一致しないデータファイルが１つでも存在する場合、その旨通知するデータを前記発呼側装置に送信する手段とを更に備えたことを特徴とする。
【００２６】
【発明の実施の形態】
以下、添付図面を参照しながら、本発明の実施の形態を詳細に説明する。
【００２７】
先ず、図１は、本発明の実施の形態に係る通信端末装置としてのファクシミリ装置１のブロック構成を示している。
【００２８】
同図において、ファクシミリ装置１は、システム制御部２、ＲＯＭ３、ＲＡＭ４、スキャナ５、プロッタ６、画像メモリ７、符号化復号化部８、操作表示部９、モデム１０、網制御部１１、及び、システムバス１２により構成されている。
【００２９】
システム制御部２は、ＲＯＭ３書き込まれた制御プログラムに従って、ＲＡＭ４を作業領域として使用しながら、装置各部を制御するものである。
【００３０】
ＲＯＭ３は、前述したように、システム制御部２が上記装置各部を制御するための制御プログラムが記憶されているリードオンリメモリである。また、ＲＯＭ３には、各文字コードにフォントデータを対応付けたフォントテーブル３ａが記憶されていて、システム制御部２は、文字列を画情報に変換する場合には、フォントテーブル３ａを参照する。
【００３１】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００３２】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００３３】
画像メモリ７は、スキャナ５で読み取った画情報を、メモリ送信するために一時的にファイルとして蓄積したり、受信した画情報を、プロッタ６により記録するまでファイルとして一時的に蓄積したり、選択ポーリング送信のための画情報ファイルを蓄積するためのものである。
【００３４】
符号化復号化部８は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００３５】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００３６】
モデム１０は、Ｇ３ファクシミリモデムであり、送信データを変調する一方、受信データを復調するものである。また、モデム１０は、入力されたダイヤル番号に対応してＤＴＭＦ信号の送出も行う。網制御部１１は、公衆網に接続されて、回線の直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものである。システムバス１２は、上記各部がデータをやり取りするための信号ラインである。
【００３７】
Ｇ３ファクシミリプロトコルに基づいたＳＥＰ及びＰＷＤの通知を伴うポーリング通信シーケンスについて図２を参照して説明する。なお、同図において、発呼側は、ファクシミリ装置１に蓄積された画情報ファイルをポーリング受信しようとして発呼してくるファクシミリ装置に対応し、着呼側は、ファクシミリ装置１に対応する。
【００３８】
同図において、発呼側は、着呼側の相手先装置に発呼して回線が確立されると、発呼トーンＣＮＧで呼を指示し（フェーズＦ１１）、着呼側が被呼局識別信号ＣＥＤで呼に応答する（フェーズＦ１２）。
【００３９】
そして、着呼側から送出されるディジタル識別信号ＤＩＳ、非標準機能識別信号ＮＳＦ、被呼端末識別信号ＣＳＩに対して（フェーズＦ１３）、発呼側は、ディジタル送信命令信号ＤＴＣ、非標準機能命令信号ＮＳＣ、発呼端末識別信号ＣＩＧ、及び、発呼に先立ってＳＥＰ番号が指定されている場合には、その指定されたＳＥＰ番号を情報フィールド中に含むセレクティブポーリング信号ＳＥＰを送出し、また、ＳＥＰ番号が指定された場合において更にパスワードが指定された場合には、その指定されたＩＤ情報を情報フィールド中に含むＰＷＤ信号を送出する（フェーズＦ１４）。
【００４０】
そして、着呼側から送出されるディジタル送信命令信号ＤＣＳ、非標準機能設定信号ＮＳＳ、送信端末識別信号ＴＳＩを受信する（フェーズＦ１５）。
【００４１】
更に着呼側は、フェーズＦ１５で通信パラメータを設定した上で、トレーニングチェック信号ＴＣＦにより、設定したモデム速度でモデムトレーニングを行い（フェーズＦ１６）、発呼側からの受信準備確認信号ＣＦＲの受信を待って（フェーズＦ１７）、画情報をファクシミリメッセージとして送信する（フェーズＦ１８）。なお、フェーズＦ１８でファクシミリメッセージとして送信するデータは画情報に限らず、Ｇ３ファクシミリの拡張機能であるＢＦＴ（Ｂｉｎａｒｙ  Ｆｉｌｅ  Ｔｒａｎｓｆｅｒ）によるバイナリデータであってもよい。
【００４２】
着呼側のファクシミリ装置は、フェーズＦ１８でファクシミリメッセージを送信すると、手順終了信号ＥＯＰを送出し（フェーズＦ１９）、発呼側がメッセージ確認信号ＭＣＦで応答してくると（フェーズＦ２０）、切断命令信号ＤＣＮを送出して（フェーズＦ２１）、ポーリング送信を完了し、発呼側のファクシミリ装置１は、ポーリング受信を完了する。
【００４３】
このように、ポーリング送信時にＳＥＰやＰＷＤの通知を受けることで、選択ポーリングが実現でき、発呼側からＳＥＰ番号で指定された画情報をファクシミリメッセージとしてポーリング送信でき、また、画情報がファクシミリメッセージとして無制限にポーリングにより取り出されることをパスワードにより制限することも可能となる。
【００４４】
しかし、従来の選択ポーリングでは、１回の通信で１つの画情報ファイルしかとりだせず、発呼側が着呼側のファクシミリ装置１から複数の画情報を取り出したい場合に不便である。本実施の形態では、以下説明するように、１回の通信で複数の画情報取り出せるようにする。
【００４５】
図３に、ファクシミリ装置１のＲＡＭ４に記憶されたＳＥＰファイル管理テーブル４ａについて示す。また、図４に画像メモリ７における画情報ファイルの格納態様について示す。
【００４６】
図３に示すＳＥＰファイル管理テーブル４ａは、画像メモリ７に記憶された選択ポーリング送信用の画情報ファイルを管理するためのテーブルで、各画情報ファイルに対応したレコードの集まりとして構成されている。
【００４７】
各レコードは、「ＳＥＰファイル番号」、「ＰＷＤ（パスワード）番号」、「ファイル名」、「ファイルへのポインタ」の各フィールドにより構成されている。
【００４８】
フィールド「ＳＥＰファイル番号」は、セレクティブポーリング信号ＳＥＰにより発呼側から通知された４桁のＳＥＰファイル番号と照合される番号である。フィールド「ＰＷＤ（パスワード）番号」は、パスワード信号ＰＷＤにより発呼側から通知された４桁のパスワード番号と照合される番号である。なお、フィールド「ＰＷＤ番号」における番号「００００」は特別な番号で、パスワードが未登録であることを示している。フィールド「ファイル名」は、フィールド「ＳＥＰファイル番号」の画情報ファイルの内容を示す文字列である。フィールド「ファイルへのポインタ」は、フィールド「ＳＥＰファイル番号」に対応する画情報ファイルの画像メモリ７における格納場所を示すアドレスへのポインタである。フィールド「ＳＥＰファイル番号」に対応するフィールド「ファイルへのポインタ」により示されるアドレスから画情報ファイルを読み出すことにより、所望のＳＥＰファイル番号の画情報を読み出すことができる。
【００４９】
次に、ファクシミリ装置１における着信処理手順について図５を参照して説明する。
【００５０】
同図において、ファクシミリ装置は、公衆網を介した着呼があるかを監視し（判断１０１のＮｏループ）、着呼があった場合は（判断１０１のＹｅｓ）、その着呼に応答した回線接続してＧ３ファクシミリプロトコルに基づいた伝送前手順を行う。
【００５１】
判断１０１で着呼した通信は、通常のファクシミリ受信である場合もあるし、図２に示めしたようなポーリング送信である場合もあるし、ポーリング送信である場合には、セレクティブポーリング信号ＳＥＰ、パスワード信号ＰＷＤの通知を伴う選択ポーリング送信である場合もある。
【００５２】
そのため、処理１０２の伝送前手順において、セレクティブポーリング信号ＳＥＰを受信したか、すなわち、判断１０１で着呼した通信が選択ポーリング送信に係るものである場合には（判断１０３のＹｅｓ）、ＳＥＰポーリング送信処理を行い（処理１０５）、セレクティブポーリング信号ＳＥＰを受信しない、通常のファクシミリ受信やポーリング送信であった場合には、それらの通常のファクシミリ受信やポーリング送信を行う通常処理を行う（処理１０４）。
【００５３】
処理１０５のＳＥＰポーリング送信処理の具体的な処理手順について図６及び図７を参照して説明する。
【００５４】
それらの図において、まず、フラグＦｓｅｐ及びＦｐｗｄを０にリセットした上で（処理２０１）、ＳＥＰファイル番号抽出処理を行う（処理１０２）。そして、図５の処理１０２の伝送前手順において、セレクティブポーリング信号ＳＥＰに付帯してパスワード信号ＰＷＤを受信したかを判断し（判断２０３）、パスワード信号ＰＷＤを受信した場合には（判断２０３のＹｅｓ）、パスワード信号ＰＷＤ番号抽出処理を行い（処理２０４）、判断２０５に移行する。パスワード信号ＰＷＤを受信なかった場合には（判断２０３のＮｏ）、何もしないで判断２０５に移行する。
【００５５】
ここで、処理２０２のＳＥＰファイル番号抽出処理の具体的な処理手順について図８を参照して説明する。
【００５６】
同図において、まず、区切りモードが「＃区切り」のモードであるか、または、「４桁固定」のモードであるかを判断する（判断３０１）。この区切りモードは、操作表示部９からの操作入力により予め設定されて、その設定状態がＲＡＭ４に記憶されるか、または、装置の仕様としてＲＯＭ３に固定的に設定されている。
【００５７】
判断３０１において、区切りモードが「＃区切り」モードである場合には、図５の処理１０２における伝送前手順で受信したセレクティブポーリング信号ＳＥＰの情報フィールドから取り出したコード列を所定の区切りコードとしての「＃」で区切ってファイル番号を抽出する（処理３０２）。
【００５８】
判断３０１において、区切りモードが「４桁固定」モードである場合には、図５の処理１０２における伝送前手順で受信したセレクティブポーリング信号ＳＥＰの情報フィールドから取り出したコード列の桁数が、４の倍数であるか否かを判断し（判断３０３）、４の倍数である場合には（判断３０３のＹｅｓ）、当該コード列を４桁ずつ区切って、ファイル番号を抽出する（処理３０４）。４の倍数ではない場合には（判断３０３のＮｏ）、ＳＥＰ桁数不整合対応処理を行う（処理３０５）。
【００５９】
ここで、処理３０５のＳＥＰ桁数不整合対応処理の具体的な処理手順について図９を参照して説明する。
【００６０】
同図において、まず、ＳＥＰ桁数不整合処置モードが「強制区切り」のモードであるか、または、「送信中止」のモードであるかを判断する（判断４０１）。このＳＥＰ桁数不整合処置モードは、操作表示部９からの操作入力により予め設定されて、その設定状態がＲＡＭ４に記憶されるか、または、装置の仕様としてＲＯＭ３に固定的に設定されている。
【００６１】
判断４０１において、ＳＥＰ桁数不整合処置モードが「強制区切り」である場合には、区切って４桁のファイル番号が得られるところまで区切ってファイル番号を抽出する（処理４０２）。
【００６２】
判断４０１において、ＳＥＰ桁数不整合処置モードが「送信中止」モードである場合には、Ｆｓｅｐを１にセットする（処理４０３）。Ｆｓｅｐが１にセットされると、図６のＳＥＰポーリング送信処理において判断２０５がＮｏとなり、処理２０７で通信が終了される。
【００６３】
次に、処理２０４のＰＷＤ番号抽出処理の具体的な処理手順について図１０を参照して説明する。
【００６４】
同図において、まず、区切りモードが「＃区切り」のモードであるか、または、「４桁固定」のモードであるかを判断する（判断５０１）。この区切りモードは、操作表示部９からの操作入力により予め設定されて、その設定状態がＲＡＭ４に記憶されるか、または、装置の仕様としてＲＯＭ３に固定的に設定されている。
【００６５】
判断５０１において、区切りモードが「＃区切り」モードである場合には、図５の処理１０２における伝送前手順で受信したパスワード信号ＰＷＤの情報フィールドから取り出したコード列を所定の区切りコードとしての「＃」で区切ってＰＷＤ番号を抽出する（処理５０２）。
【００６６】
判断５０１において、区切りモードが「４桁固定」モードである場合には、図５の処理１０２における伝送前手順で受信したパスワード信号ＰＷＤの情報フィールドから取り出したコード列の桁数が、４の倍数であるか否かを判断し（判断５０３）、４の倍数である場合には（判断５０３のＹｅｓ）、当該コード列を４桁ずつ区切って、ＰＷＤ番号を抽出する（処理５０４）。４の倍数ではない場合には（判断５０３のＮｏ）、ＰＷＤ桁数不整合対応処理を行う（処理５０５）。
【００６７】
ここで、処理５０５のＰＷＤ桁数不整合対応処理の具体的な処理手順について図１１を参照して説明する。
【００６８】
同図において、まず、ＰＷＤ桁数不整合処置モードが「強制区切り」のモードであるか、または、「送信中止」のモードであるかを判断する（判断６０１）。このＰＷＤ桁数不整合処置モードは、操作表示部９からの操作入力により予め設定されて、その設定状態がＲＡＭ４に記憶されるか、または、装置の仕様としてＲＯＭ３に固定的に設定されている。
【００６９】
判断６０１において、ＰＷＤ桁数不整合処置モードが「強制区切り」である場合には、区切って４桁のＰＷＤ番号が得られるところまで区切ってＰＷＤ番号を抽出する（処理６０２）。
【００７０】
判断６０１において、ＰＷＤ桁数不整合処置モードが「送信中止」モードである場合には、Ｆｐｗｄを１にセットする（処理６０３）。Ｆｐｗｄが１にセットされると、図６のＰＷＤポーリング送信処理において判断２０６がＮｏとなり、処理２０７で通信が終了される。
【００７１】
図１２に、区切りモードが「＃区切り」モード時にセレクティブポーリング信号ＳＥＰ及びパスワード信号ＰＷＤの各情報フィールドから取り出されたコード列を示す。
【００７２】
図１２において、セレクティブポーリング信号ＳＥＰ及びパスワード信号ＰＷＤの各情報フィールドから取り出されるコード列は、発呼側のファクシミリ装置において、セレクティブポーリング信号ＳＥＰ及びパスワード信号ＰＷＤの各情報フィールドに埋め込まれたものである。発呼側では、着呼側のファクシミリ装置１に通知する複数のＳＥＰ番号やＰＷＤ番号を操作入力によりユーザに指定させて、それら指定された複数のＳＥＰ番号や複数のＰＷＤ番号の間に区切りコード「＃」を挿入してコード列として作成するか、または、区切りコード「＃」を含めたコード列を直接入力させることにより、セレクティブポーリング信号ＳＥＰ及びパスワード信号ＰＷＤの各情報フィールドに埋め込むコード列を得る。
【００７３】
同図において、ＳＥＰのコード列を区切りコード「＃」で左端を起点に区切ると、ＳＥＰファイル番号が「１２３４」、「９０１２」、「５６７８」の順に得られる。また、ＰＷＤのコード列を区切りコード「＃」で左端を起点に区切ると、ＰＷＤ番号が「４３２１」、「００００」、「８７６５」の順に得られる。この場合、ＰＷＤ番号「００００」は、対応するＳＥＰファイル番号については、ＰＷＤ番号を指定しないことを示している。なお、ＳＥＰ及びＰＷＤのコード列を区切りコード「＃」で右端を起点に区切るようにしてもよいが、要するに、ＳＥＰ及びＰＷＤのコード列を区切る規則が同一であればよい。
【００７４】
このようにして得られたＳＥＰファイル番号及びＰＷＤ番号は、図１６に示すように、ＲＡＭ４の抽出ＳＥＰファイル番号／ＰＷＤ番号テーブル４ｂに対応付けて登録される。もっとも、パスワード信号ＰＷＤを図５の処理１０２で受信しなかった場合には、ＰＷＤ番号は登録されない。
【００７５】
図１３に、区切りモードが「＃区切り」モード時にセレクティブポーリング信号ＳＥＰ及びパスワード信号ＰＷＤの各情報フィールドから取り出されたコード列の図１２とは別の例を示す。
【００７６】
図１３において、セレクティブポーリング信号ＳＥＰ及びパスワード信号ＰＷＤの各情報フィールドから取り出されるコード列は、発呼側のファクシミリ装置において、セレクティブポーリング信号ＳＥＰ及びパスワード信号ＰＷＤの各情報フィールドに埋め込まれたものである。発呼側では、着呼側のファクシミリ装置１に通知する複数のＳＥＰ番号やＰＷＤ番号を操作入力によりユーザに指定させて、それら指定された複数のＳＥＰ番号や複数のＰＷＤ番号の間に区切りコード「＃」を挿入してコード列として作成するか、または、区切りコード「＃」を含めたコード列を直接入力させることにより、セレクティブポーリング信号ＳＥＰ及びパスワード信号ＰＷＤの各情報フィールドに埋め込むコード列を得る。
【００７７】
同図において、ＳＥＰのコード列を区切りコード「＃」で左端を起点に区切ると、ＳＥＰファイル番号が「１２３４」、「９０１２」、「５６７８」の順に得られる。また、ＰＷＤのコード列を区切りコード「＃」で左端から区切ると、ＰＷＤ番号が「４３２１」、「８７６５」の順に得られる。この場合、そのままでは、ＰＷＤ番号「４３２１」は、ＳＥＰファイル番号「１２３４」に対応し、ＰＷＤ番号「８７６５」は、ＳＥＰファイル番号「９０１２」に対応し、ＳＥＰファイル番号「８７６５」に対応するＰＷＤ番号の通知はないことになる。しかし、図３に示すように、ＳＥＰファイル管理テーブル４ａでは、ＳＥＰファイル番号「９０１２」に対応するＰＷＤ番号は「００００」で、ＳＥＰファイル番号「９０１２」には有効なＰＷＤ番号が対応付けられて登録されていないめ、得られたＰＷＤ番号「８７６５」は、ＳＥＰ番号「９０１２」の次に得られたＳＥＰ番号「５６７８」に対応するものと解釈すると共に、ＳＥＰファイル番号「８７６５」についてはＰＷＤ番号指定なしを意味するＰＷＤ番号「００００」が対応して得られたものとする。
【００７８】
このようにして得られたＳＥＰファイル番号及びＰＷＤ番号は、図１６に示すように、ＲＡＭ４の抽出ＳＥＰファイル番号／ＰＷＤ番号テーブル４ｂに対応付けて登録される。もっとも、パスワード信号ＰＷＤを図５の処理１０２で受信しなかった場合には、ＰＷＤ番号は登録されない。なお、ＳＥＰ及びＰＷＤのコード列を区切りコード「＃」で右端を起点に区切るようにしてもよいが、要するに、ＳＥＰ及びＰＷＤのコード列を区切る規則が同一であればよい。
【００７９】
図１４に、区切りモードが「４桁固定」モード時にセレクティブポーリング信号ＳＥＰ及びパスワード信号ＰＷＤの各情報フィールドから取り出されたコード列を示す。
【００８０】
図１４において、セレクティブポーリング信号ＳＥＰ及びパスワード信号ＰＷＤの各情報フィールドから取り出されるコード列は、発呼側のファクシミリ装置において、セレクティブポーリング信号ＳＥＰ及びパスワード信号ＰＷＤの各情報フィールドに埋め込まれたものである。発呼側では、着呼側のファクシミリ装置１に通知する複数のＳＥＰ番号やＰＷＤ番号を操作入力によりユーザに指定させて、それら指定された複数のＳＥＰ番号や複数のＰＷＤ番号を連結してコード列として作成するか、または、コード列を直接入力させることにより、セレクティブポーリング信号ＳＥＰ及びパスワード信号ＰＷＤの各情報フィールドに埋め込むコード列を得る。
【００８１】
同図において、ＳＥＰのコード列を４桁ずつ左端を起点に区切ると、ＳＥＰファイル番号が「１２３４」、「９０１２」、「５６７８」の順に得られる。また、ＰＷＤのコード列を４桁ずつ左端を起点に区切ると、ＰＷＤ番号が「４３２１」、「００００」、「８７６５」の順に得られる。この場合、ＰＷＤ番号「００００」は、対応するＳＥＰファイル番号については、ＰＷＤ番号を指定しないことを示している。なお、ＳＥＰ及びＰＷＤのコード列を４桁ずつ右端を起点に区切るようにしてもよいが、要するに、ＳＥＰ及びＰＷＤのコード列を区切る規則が同一であればよい。
【００８２】
このようにして得られたＳＥＰファイル番号及びＰＷＤ番号は、図１６に示すように、ＲＡＭ４の抽出ＳＥＰファイル番号／ＰＷＤ番号テーブル４ｂに対応付けて登録される。もっとも、パスワード信号ＰＷＤを図５の処理１０２で受信しなかった場合には、ＰＷＤ番号は登録されない。
【００８３】
図１５に、区切りモードが「４桁固定」モード時にセレクティブポーリング信号ＳＥＰ及びパスワード信号ＰＷＤの各情報フィールドから取り出されたコード列の図１４とは別の例を示す。
【００８４】
図１３において、セレクティブポーリング信号ＳＥＰ及びパスワード信号ＰＷＤの各情報フィールドから取り出されるコード列は、発呼側のファクシミリ装置において、セレクティブポーリング信号ＳＥＰ及びパスワード信号ＰＷＤの各情報フィールドに埋め込まれたものである。発呼側では、着呼側のファクシミリ装置１に通知する複数のＳＥＰ番号やＰＷＤ番号を操作入力によりユーザに指定させて、それら指定された複数のＳＥＰ番号や複数のＰＷＤ番号を連結してコード列として作成するか、または、コード列を直接入力させることにより、セレクティブポーリング信号ＳＥＰ及びパスワード信号ＰＷＤの各情報フィールドに埋め込むコード列を得る。
【００８５】
同図において、ＳＥＰのコード列を４桁ずつ左端を起点に区切ると、ＳＥＰファイル番号が「１２３４」、「９０１２」、「５６７８」の順に得られる。また、ＰＷＤのコード列を４桁ずつ左端を起点に区切ると、ＰＷＤ番号が「４３２１」、「８７６５」の順に得られる。この場合、そのままでは、ＰＷＤ番号「４３２１」は、ＳＥＰファイル番号「１２３４」に対応し、ＰＷＤ番号「８７６５」は、ＳＥＰファイル番号「９０１２」に対応し、ＳＥＰファイル番号「８７６５」に対応するＰＷＤ番号の通知はないことになる。しかし、図３に示すように、ＳＥＰファイル管理テーブル４ａでは、ＳＥＰファイル番号「９０１２」に対応するＰＷＤ番号は「００００」で、ＳＥＰファイル番号「９０１２」には有効なＰＷＤ番号が対応付けられて登録されていないめ、得られたＰＷＤ番号「８７６５」は、ＳＥＰ番号「９０１２」の次に得られたＳＥＰ番号「５６７８」に対応するものと解釈すると共に、ＳＥＰファイル番号「８７６５」についてはＰＷＤ番号指定なしを意味するＰＷＤ番号「００００」が対応して得られたものとする。
【００８６】
このようにして得られたＳＥＰファイル番号及びＰＷＤ番号は、図１６に示すように、ＲＡＭ４の抽出ＳＥＰファイル番号／ＰＷＤ番号テーブル４ｂに対応付けて登録される。もっとも、パスワード信号ＰＷＤを図５の処理１０２で受信しなかった場合には、ＰＷＤ番号は登録されない。
なお、ＳＥＰ及びＰＷＤのコード列を４桁ずつ右端を起点に区切るようにしてもよいが、要するに、ＳＥＰ及びＰＷＤのコード列を区切る規則が同一であればよい。
【００８７】
本実施の形態では、ＳＥＰファイル番号やＰＷＤ番号が４桁であるため、４桁ずつ区切っているが、ＳＥＰファイル番号やＰＷＤ番号が４桁以外の桁数であっても、実際に扱うＳＥＰファイル番号やＰＷＤ番号の桁数で区切るようにすればよい。
【００８８】
以上説明したように、図６におけるＳＥＰファイル番号抽出処理（処理２０２）、及び、ＰＷＤ番号抽出処理（処理２０４）により図１６に示したように、抽出ＳＥＰファイル番号／ＰＷＤ番号テーブル４ｂにＳＥＰファイル番号やＰＷＤ番号が抽出された後、判断２０５においてフラグＦｓｅｐの値が１か否かを判断する。
【００８９】
そして、フラグＦｓｅｐの値が１である場合（判断２０５のＹｅｓ）、すなわち、図８において、区切りモードが「４桁固定」なのに、セレクティブポーリング信号ＳＥＰにより発呼側から通知されたコード列の桁数が４の倍数ではなく（判断３０３のＮｏ）、図９において、ＳＥＰ桁数不整合処置モードが「送信中止」である場合には、通信を終了してしまう（処理２０７）。これにより、４桁できっちり区切れない半端な番号が余ってしまうような場合、発呼側におけるＳＥＰファイル番号の複数指定時のミスと判断して、選択ポーリング送信を中止でき、ファイル複数指定の選択ポーリング送信の安全性を優先することができる。
【００９０】
そして、フラグＦｓｅｐの値が１でない（０である）場合は（判断２０５のＮｏ）、更に、判断２０６においてフラグＦｐｗｄの値が１か否かを判断する。
【００９１】
そして、フラグＦｐｗｄの値が１である場合（判断２０６のＹｅｓ）、すなわち、図１０において、区切りモードが「４桁固定」なのに、パスワード信号ＰＷＤにより発呼側から通知されたのコード列の桁数が４の倍数ではなく（判断５０３のＮｏ）、図１１において、ＰＷＤ桁数不整合処置モードが「送信中止」である場合には、通信を終了してしまう（処理２０７）。これにより、４桁できっちり区切れない半端な番号が余ってしまうような場合、発呼側におけるパスワード番号の複数指定時のミスと判断して、選択ポーリング送信を中止でき、パスワード指定を伴うファイル複数指定の選択ポーリング送信の安全性を優先することができる。
【００９２】
そして、フラグＦｓｅｐの値が１でない（０である）場合は（判断２０６のＮｏ）、図７の処理２０８に移行し、送信対象ファイル決定処理を行う。
【００９３】
ここで、処理２０８における送信対象ファイル決定処理の具体的な処理手順について、図１７を参照して説明する。
【００９４】
同図において、先ず図１６に示すように抽出ファイル番号／ＰＷＤ番号テーブル４ｂに抽出されたＳＥＰファイル番号と、図３に示したＳＥＰファイル管理テーブル４ａの「ＳＥＰファイル番号」のフィールドとを照合する（処理７０１）。
【００９５】
そして、ＳＥＰファイル管理テーブル４ａに、セレクティブポーリング信号ＳＥＰから抽出された各ＳＥＰファイル番号と一致するＳＥＰファイル番号が少なくとも１つのあるか否かを判断し（判断７０２）、１つもない場合には（判断７０２のＮｏ）、なにもしないで処理を終了する。
【００９６】
判断７０２において、少なくとも１つある場合は（判断７０２のＹｅｓ）、更に、セレクティブポーリング信号ＳＥＰから抽出された各ＳＥＰファイル番号と一致するＳＥＰファイル番号のファイルがＳＥＰファイル管理テーブル４ａに全て登録されているか否かを判断し（判断７０３）、セレクティブポーリング信号ＳＥＰから抽出された各ＳＥＰファイル番号と一致するＳＥＰファイル番号のファイルがＳＥＰファイル管理テーブル４ａに全て登録されている場合は（判断７０３のＹｅｓ）、それら一致する全てのＳＥＰファイル番号を送信対象ファイル登録リスト４ｃに、図２１に示すように登録する（処理７０４）。なお、送信対象ファイル登録リスト４ｃに最終的に登録されたＳＥＰファイル番号に対応して画像メモリ７に蓄積された画情報ファイルは、後述するように、発呼側のファクシミリ装置に対して送信されるが、後述するように、送信対象ファイル登録リスト４ｃに登録されたＳＥＰファイル番号は必要に応じて登録抹消される場合もある。
【００９７】
セレクティブポーリング信号ＳＥＰから抽出された各ＳＥＰファイル番号と一致するＳＥＰファイル番号のファイルがＳＥＰファイル管理テーブル４ａに全て登録されているわけではない場合は（判断７０３のＮｏ）、ＳＥＰ部分一致対応処理を行う（処理７０５）。
【００９８】
処理７０５におけるＳＥＰ部分一致対応処理の具体的な処理手順としては、図１８、図１９、または、図２０に示すいずれかの処理手順を適用することができる。
【００９９】
先ず、図１８に示すＳＥＰ部分一致対応処理手順においては、なにもしない。つまり、抽出された各ＳＥＰファイル番号のうち、ＳＥＰファイル管理テーブル４ａに登録されているものがあったとしても、送信対象登録リスト４ａには登録しない。これにより、抽出された各ＳＥＰファイル番号のうち、ＳＥＰファイル管理テーブル４ａに登録されているものがあったとしても、発呼側におけるＳＥＰファイル番号の指定ミス等に起因して、抽出された各ＳＥＰファイル番号の全てがＳＥＰファイル管理テーブル４ａに登録されているわけではない場合には、図７の判断２０９がＮｏとなって通信が終了され、選択ポーリング送信が中止される。それにより、セレクティブポーリング信号ＳＥＰによりＳＥＰファイル番号が複数指定された選択ポーリング送信の確実性を優先できる。
【０１００】
図１９に示すＳＥＰ部分一致対応処理手順においては、抽出された各ＳＥＰファイル番号のうち、ＳＥＰファイル管理テーブル４ａに登録されているもののみを送信対象ファイル登録リスト４ｃに登録する。つまり、抽出された各ＳＥＰファイル番号のうち、ＳＥＰファイル管理テーブル４ａに登録されているものがあった場合には、送信対象登録リスト４ａに登録する。これにより、発呼側におけるＳＥＰファイル番号の指定ミス等に起因して、抽出された各ＳＥＰファイル番号のうちの一部が、ＳＥＰファイル管理テーブル４ａに登録されていなかった場合でも、登録されているＳＥＰファイル番号についは、送信対象ファイル登録リスト４ｃに登録して、送信候補とされる。それにより、セレクティブポーリング信号ＳＥＰによりＳＥＰファイル番号が複数指定された選択ポーリング送信の融通性を優先できる。
【０１０１】
図２０に示すＳＥＰ部分一致対応処理手順においては、図２２に示すようなポーリング送信不可通知のレポート画情報をフォントテーブル３ａを参照しつつ画像メモリ７にフォント展開して作成する（処理９０１）。そして、その作成したレポート画情報を発呼側のファクシミリ装置に対して、ポーリング送信する（処理９０２）。つまり、抽出された各ＳＥＰファイル番号のうち、ＳＥＰファイル管理テーブル４ａに登録されているものがあったとしても、送信対象登録リスト４ａには登録しない。これにより、抽出された各ＳＥＰファイル番号のうち、ＳＥＰファイル管理テーブル４ａに登録されているものがあったとしても、発呼側におけるＳＥＰファイル番号の指定ミス等に起因して、抽出された各ＳＥＰファイル番号の全てがＳＥＰファイル管理テーブル４ａに登録されているわけではない場合には、図７の判断２０９がＮｏとなって通信が終了され、選択ポーリング送信が中止される。それにより、セレクティブポーリング信号ＳＥＰによりＳＥＰファイル番号が複数指定された選択ポーリング送信の確実性を優先できる。そして、選択ポーリング送信が中止した代わりに、図２２に示すようなポーリング送信不可通知を発呼側に送信するため、発呼側のユーザに対して、ＳＥＰファイル番号の指定に誤りがあったことを認識させることができる。
【０１０２】
図２２に示すポーリング送信不可通知においては、対応するファイルが画像メモリ７に存在しないＳＥＰファイル番号が「ＳＥＰ＝」の項目として示されている。また、付加的な情報として、画像メモリ７に登録されている選択ポーリング送信用の画情報ファイルのＳＥＰファイル番号を「ＳＥＰ」の項目に、対応するファイル名を「内容」の項目に記している。それにより、発呼側のユーザに対して、正しいＳＥＰファイル番号の入力を促すことができる。
【０１０３】
図７に戻って、処理２０８の送信対象ファイル決定処理により、図２１の送信対象ファイル登録リスト４ｃにの送信対象ファイルのＳＥＰファイル番号を登録した後（１つも登録されない場合もある）、判断２０９において、送信対象ファイル４ｃに１つ以上の送信対象ファイル番号が登録されているかを判断する。
【０１０４】
判断２０９において、１つも登録されていない場合には（判断２０９のＮｏ）、送信すべきＳＥＰファイルがないため、選択ポーリング送信を行わないで通信を終了する（処理２１４）。
【０１０５】
判断２０９において、１つ以上登録されている場合には（判断２０９のＹｅｓ）、送信対象ファイル選別処理を行う（処理２１１）。
【０１０６】
ここで、処理２１１における送信対象ファイル選別処理の具体的な処理手順について、図２３を参照して説明する。
【０１０７】
同図において、先ず図１６に示すように抽出ファイル番号／ＰＷＤ番号テーブル４ｂに抽出されたＰＷＤ番号と、図３に示したＳＥＰファイル管理テーブル４ａの「ＰＷＤ番号」のフィールドとを、対応するＳＥＰファイル番号が、現時点で図２１に示した送信対象ファイル登録リスト４ｃに登録されているＳＥＰファイル番号のレコードについて照合する（処理１００１）。
【０１０８】
そして、ＳＥＰファイル管理テーブル４ａの送信対象ファイル登録リスト４ｃに登録されている各ＳＥＰファイル番号のレコードのうち、パスワード信号ＰＷＤから抽出された各ＰＷＤ番号と一致するＰＷＤ番号が登録されているものが少なくとも１つのあるか否かを判断する（判断１００２）。
【０１０９】
判断１００２において、１つもない場合には（判断１００２のＮｏ）、送信対象ファイル４ｃに登録された全ＳＥＰファイル番号の登録を抹消する（処理１００３）。
【０１１０】
判断１００２において、少なくとも１つある場合は（判断１００２のＹｅｓ）、更に、ＳＥＰファイル管理テーブル４ａの送信対象ファイル登録リスト４ｃに登録されている各ＳＥＰファイル番号のレコードに登録されたＰＷＤ番号が、パスワード信号ＰＷＤから抽出された各ＰＷＤ番号と全て一致するか否かを判断する（判断１００４）。
【０１１１】
判断１００４において全て一致する場合には（判断１００４のＹｅｓ）、なにもしないで処理を終了する。判断１００４において全てが一致するわけではない場合には、ＰＷＤ部分一致対応処理を行う（処理１００５）。
【０１１２】
処理１００５におけるＰＷＤ部分一致対応処理の具体的な処理手順としては、図２４、図２５、図２６または図２７に示すいずれかの処理手順を適用することができる。
【０１１３】
先ず、図２４に示すＰＷＤ部分一致対応処理手順においては、送信対象ファイル登録リストに登録された全ＳＥＰファイル番号の登録を抹消する（処理１１０１）。つまり、抽出された各ＰＷＤファイル番号の中に、ＳＥＰファイル管理テーブル４ａの送信対象ファイル登録リスト４ｃに登録されたＳＥＰファイル番号のレコードに登録されたＰＷＤ番号と一致するものが一部あったとしても、送信対象登録リスト４ａに登録されているＳＥＰファイル番号を全部登録抹消してしまう。これにより、抽出された各ＰＷＤ番号のうち、ＳＥＰファイル管理テーブル４ａの送信対象ファイル登録リスト４ｃに登録されたＳＥＰファイル番号のレコードに登録されたＰＷＤ番号と一致するものが一部あったとしても、発呼側におけるＰＷＤ番号の指定ミス等に起因して、抽出された各ＰＷＤ番号の全てがＳＥＰファイル管理テーブル４ａの送信対象ファイル登録リスト４ｃに登録されたＳＥＰファイル番号のレコードに登録されたＰＷＤ番号と一致するわけではない場合には、図７の判断２１２がＮｏとなって通信が終了され、選択ポーリング送信が中止される。それにより、セレクティブポーリング信号ＳＥＰによりＳＥＰファイル番号が複数指定された場合において、パスワード信号ＰＷＤによりパスワード信号ＰＷＤ番号が指定された場合における複数ファイル指定の選択ポーリング送信の安全性を優先できる。
【０１１４】
図２５に示すＳＥＰ部分一致対応処理手順においては、送信対象ファイル登録リスト４ｃに登録されたＳＥＰファイル番号のうち、対応して抽出されたＰＷＤ番号が、ＳＥＰファイル管理テーブル４ａの対応するレコードに登録されたＰＷＤ番号と不一致のものを送信対象ファイル登録リスト４ｃから登録抹消する。これにより、発呼側におけるＰＷＤ番号の指定ミス等に起因して、抽出された各ＰＷＤ番号のうちの一部が、間違っていた場合でも、送信対象ファイル登録リスト４ｃに登録されているＳＥＰファイル番号のうちの対応するＰＷＤ番号が間違っていないものについては、送信候補とされる。それにより、セレクティブポーリング信号ＳＥＰによりＳＥＰファイル番号が複数指定場合において、パスワード信号ＰＷＤによりパスワード信号ＰＷＤ番号が指定された場合における複数ファイル指定の選択ポーリング送信の融通性を優先できる。
【０１１５】
図２６に示すＳＥＰ部分一致対応処理手順においては、送信対象ファイル登録リスト４ｃに登録されたＳＥＰファイル番号のうち、ＳＥＰファイル管理テーブル４ａにおいて対応して登録されたＰＷＤ番号が「００００」のもの、すなわち、パスワード指定不要のもの以外のものを送信対象ファイル登録リスト４ｃから登録抹消する。これにより、発呼側におけるＰＷＤ番号の指定ミス等に起因して、抽出された各ＰＷＤ番号のうちの一部が、間違っていた場合でも、送信対象ファイル登録リスト４ｃに登録されているＳＥＰファイル番号のうちのパスワード指定不要のものについては、送信候補とされる。それにより、セレクティブポーリング信号ＳＥＰによりＳＥＰファイル番号が複数指定場合において、パスワード信号ＰＷＤによりパスワード信号ＰＷＤ番号が指定された場合における複数ファイル指定の選択ポーリング送信の融通性を優先できる。
【０１１６】
図２７に示すＰＷＤ部分一致対応処理手順においては、図２８に示すようなポーリング送信不可通知のレポート画情報をフォントテーブル３ａを参照しつつ画像メモリ７にフォント展開して作成する（処理１３０１）。そして、その作成したレポート画情報を発呼側のファクシミリ装置に対して、ポーリング送信した上で、送信対象ファイル登録リストに登録された全ＳＥＰファイル番号の登録を抹消する（処理１３０３）。つまり、抽出された各ＰＷＤファイル番号の中に、ＳＥＰファイル管理テーブル４ａの送信対象ファイル登録リスト４ｃに登録されたＳＥＰファイル番号のレコードに登録されたＰＷＤ番号と一致するものが一部あったとしても、送信対象登録リスト４ａに登録されているＳＥＰファイル番号を全部登録抹消してしまう。これにより、抽出された各ＰＷＤ番号のうち、ＳＥＰファイル管理テーブル４ａの送信対象ファイル登録リスト４ｃに登録されたＳＥＰファイル番号のレコードに登録されたＰＷＤ番号と一致するものが一部あったとしても、発呼側におけるＰＷＤ番号の指定ミス等に起因して、抽出された各ＰＷＤ番号の全てがＳＥＰファイル管理テーブル４ａの送信対象ファイル登録リスト４ｃに登録されたＳＥＰファイル番号のレコードに登録されたＰＷＤ番号と一致するわけではない場合には、図７の判断２１２がＮｏとなって通信が終了され、選択ポーリング送信が中止される。それにより、セレクティブポーリング信号ＳＥＰによりＳＥＰファイル番号が複数指定された場合において、パスワード信号ＰＷＤによりパスワード信号ＰＷＤ番号が指定された場合における複数ファイル指定の選択ポーリング送信の安全性を優先できる。そして、選択ポーリング送信が中止した代わりに、図２８に示すようなポーリング送信不可通知を発呼側に送信するため、発呼側のユーザに対して、ＰＷＤ番号の指定に誤りがあったことを認識させることができる。
【０１１７】
図２８に示すポーリング送信不可通知においては、ＰＷＤ番号の指定に誤りがあったＳＥＰファイル番号が「ＳＥＰ＝」の項目として示されていると共に、再度選択ポーリング受信操作をやりとり促すメッセージ文字列を記している。それにより、発呼側のユーザに対して、正しいＰＷＤ番号を入力して再度選択ポーリング受信操作をやりなおすよう促すことができる。
【０１１８】
図７に戻って、処理２１１の送信対象ファイル選別処理により、図２１の送信対象ファイル登録リスト４ｃに登録された送信対象ファイルのＳＥＰファイル番号の抹消すべきものを抹消した後（１つも抹消されない場合もある）、判断２１２において、送信対象ファイル４ｃに最終的に１つ以上の送信対象ファイル番号が登録されているかを判断する。
【０１１９】
判断２１２において、最終的に１つも登録されていない場合には（判断２１２のＮｏ）、送信すべきＳＥＰファイルがないため、選択ポーリング送信を行わないで通信を終了する（処理２１４）。
【０１２０】
判断２１２において、最終的に１つ以上登録されている場合には（判断２１２のＹｅｓ）、送信対象ファイル登録リスト４ｃに登録されている各ＳＥＰファイル番号に、ＳＥＰファイル管理テーブル４ａにおいて対応する「ファイルへのポインタ」により特定される画像メモリ７に蓄積された各画情報ファイルを一括して発呼側に送信して（処理２１３）、通信を終了する（処理２１４）。
【０１２１】
このように、本実施の形態によれば、１回の通信で複数のファイルを選択ポーリング送信することができ、また、指定された各ファイルについてのパスワードの指定もできるようになる。
【０１２２】
なお、以上説明した実施の形態においては、本発明をＧ３ファクシミリ装置に適用したが、本発明はそれに限らず選択ポーリング送信機能を備えた通信端末装置であれば、同様に適用可能なものである。
【０１２３】
【発明の効果】
請求項１に係る発明によれば、前記所定のファイル指定用信号により前記発呼側装置から通知されたコード列に前記特定の区切りコードで区切られて含まれる１つまたは複数の選択番号を、当該コード列を前記特定の区切りコードで区切ることにより抽出できるため、１回の通信で複数のデータファイルを指定した選択ポーリング送信を行うことが可能となる効果が得られる。
【０１２５】
請求項２に係る発明によれば、前記所定のファイル指定用信号により前記発呼側装置から指定された１つまたは複数の選択番号に対応するデータファイルが前記ファイル記憶手段に１つでも存在しない場合には、前記発呼側装置から指定された他の選択番号に対応するファイルが前記ファイル記憶手段に記憶されていたとしても、前記発呼側装置に対するデータファイルの選択ポーリング送信が行われないため、安全性を優先したデータファイル複数指定の選択ポーリング送信を行うことが可能となる効果が得られる。
【０１２７】
請求項３に係る発明によれば、前記所定のファイル指定用信号により前記発呼側装置から指定された１つまたは複数の選択番号に対応するデータファイルが前記ファイル記憶手段に１つでも存在しない場合には、前記発呼側装置から指定された他の選択番号に対応するファイルが前記ファイル記憶手段に記憶されていたとしても、前記発呼側装置に対するデータファイルの選択ポーリング送信を行わず、指定された選択番号に対応するデータファイルが前記記憶手段に記憶されていない旨が前記発呼側装置に通知されるため、安全性を優先したデータファイル複数指定の選択ポーリング送信を行うことができ、また、発呼側に対して選択番号の指定の誤りを知らせて正しい選択番号を指定を促して選択ポーリング通信の使い勝手を向上することが可能となる効果が得られる。
【０１２８】
請求項４に係る発明によれば、前記所定のファイル指定用信号により前記発呼側装置から受信した、前記発呼側装置における選択番号の指定が正しければ前記所定の区切り桁数の倍数であるはずのコード列の桁数が、前記所定の区切り桁数の倍数以外である場合には、前記発呼側装置に対するデータファイルの選択ポーリング送信が行われないため、安全性を優先したデータファイル複数指定の選択ポーリング送信を行うことが可能となる効果が得られる。
【０１２９】
請求項５に係る発明によれば、前記所定のファイル指定用信号により前記発呼側装置から受信した、前記発呼側装置における選択番号の指定が正しければ前記所定の区切り桁数の倍数であるはずのコード列の桁数が、前記所定の区切り桁数の倍数以外である場合でも、当該コード列を前記所定の区切り桁数の選択番号が得られるところまで前記所定の区切り桁数で区切って１つまたは複数の選択番号を抽出して、その抽出した選択番号に対応して前記記憶手段に存在するデータファイルを前記発呼側装置に対する選択ポーリング送信が行われるため、融通性を優先したデータファイル複数指定の選択ポーリング送信を行うことが可能となる効果が得られる。
【０１３０】
請求項６に係る発明によれば、前記所定のパスワード指定用信号により前記発呼側装置から通知されたコード列に前記特定の区切りコードで区切られて含まれる１つまたは複数のパスワード番号を、当該コード列を前記特定の区切りコードで区切ることにより抽出できるため、１回の通信で複数のデータファイルを指定した選択ポーリング送信における各データファイルについてのパスワード指定を行うことが可能となる効果が得られる。
【０１３２】
請求項７に係る発明によれば、前記パスワード指定用信号から抽出されたパスワード番号がパスワード指定なしを示す所定の番号であった場合、当該抽出されたパスワード番号に対応する選択番号については、パスワード指定なしと判断するため、１回の通信で複数のデータファイルを指定した、パスワード指定を伴う選択ポーリング送信において、各データファイルについて個別にパスワードの指定あり・なしを指定することが可能となる効果が得られる。
【０１３３】
請求項８に係る発明によれば、前記パスワード指定用信号から抽出されたパスワード番号に対応して抽出された選択番号に対応するデータファイルに対応する登録パケット番号が未登録の場合には、当該パスワード番号を、当該パスワード番号に対応して抽出された選択番号の次に抽出された選択番号に対応するものと判断するため、１回の通信で複数のデータファイルを指定した、パスワード指定を伴う選択ポーリング送信において、各データファイルについて個別にパスワードの指定あり・なしを指定することが可能となる効果が得られる。
【０１３４】
請求項９に係る発明によれば、前記パスワード指定用信号により通知された１つまたは複数のパスワード番号のうちの少なくとも１つが、それらのパスワード番号のそれぞれに対応して前記ファイル指定用信号により通知された１つまたは複数の選択番号に対応して前記ファイル記憶手段に記憶された各データファイルに対応して登録されている前記登録パスワード番号と一致しない場合には、前記発呼側装置に対するデータファイルの選択ポーリング送信が行われないため、安全性を優先した、パスワード指定を伴うデータファイル複数指定の選択ポーリング送信を行うことが可能となる効果が得られる。
【０１３６】
請求項１０に係る発明によれば、前記パスワード指定用信号により通知された１つまたは複数のパスワード番号のうちの少なくとも１つが、それらのパスワード番号のそれぞれに対応して前記ファイル指定用信号により通知された１つまたは複数の選択番号に対応して前記ファイル記憶手段に記憶された各データファイルに対応して登録されている前記登録パスワード番号と一致しない場合には、前記ファイル指定用信号により通知された１つまたは複数の選択番号に対応して前記ファイル記憶手段に記憶されている各データファイルのうち対応して登録パスワード番号が登録されていないデータファイルのみについて、前記発呼側装置に対する選択ポーリング送信が行われるため、融通性を優先した、パスワード指定を伴うデータファイル複数指定の選択ポーリング送信を行うことが可能となる効果が得られる。
【０１３９】
請求項１１に係る発明によれば、前記パスワード指定用信号により通知された１つまたは複数のパスワード番号のうちの少なくとも１つが、それらのパスワード番号のそれぞれに対応して前記ファイル指定用信号により通知された１つまたは複数の選択番号に対応して前記ファイル記憶手段に記憶された各データファイルに対応して登録されている前記登録パスワード番号と一致しない場合には、前記発呼側装置に対するデータファイルの選択ポーリング送信を行わず、指定されたパスワード番号が誤りである旨が前記発呼側装置に通知されるため、安全性を優先した、パスワード指定を伴うデータファイル複数指定の選択ポーリング送信を行うことができ、また、発呼側に対してパスワード番号の指定の誤りを知らせて正しいパスワード号の指定を促して、パスワード指定を伴う選択ポーリング通信の使い勝手を向上することが可能となる効果が得られる。
【図面の簡単な説明】
【図１】本発明の実施の形態に係る通信端末装置としてのファクシミリ装置のブロック構成を示す図である。
【図２】ＳＥＰ及びＰＷＤの通知を伴うポーリング通信シーケンスについて示す図である。
【図３】ＳＥＰファイル管理テーブルについて示す図である。
【図４】画像メモリに記憶された画情報ファイルとそれを指し示すポインタについて示す図である。
【図５】本発明の実施の形態に係るファクシミリ装置における着信処理手順について示すフローチャートである。
【図６】ＳＥＰポーリング送信処理の具体的な処理手順について示すフローチャートである。
【図７】図６と共に、ＳＥＰポーリング送信処理の具体的な処理手順について示すフローチャートである。
【図８】ＳＥＰファイル番号抽出処理の具体的な処理手順について示すフローチャートである。
【図９】ＳＥＰ桁数不整合対応処理の具体的な処理手順について示すフローチャートである。
【図１０】ＰＷＤ番号抽出処理の具体的な処理手順について示すフローチャートである。
【図１１】ＰＷＤ桁数不整合対応処理の具体的な処理手順について示すフローチャートである。
【図１２】ＳＥＰ及びＰＷＤの通知形態について示す図である。
【図１３】ＳＥＰ及びＰＷＤの図１２とは別の通知形態について示す図である。
【図１４】ＳＥＰ及びＰＷＤの図１２、図１３とは別の通知形態について示す図である。
【図１５】ＳＥＰ及びＰＷＤの図１２、図１３，図１４とは別の通知形態について示す図である。
【図１６】抽出ＳＥＰファイル番号／ＰＷＤ番号テーブルについて示す図である。
【図１７】送信対象ファイル決定処理の具体的な処理手順について示すフローチャートである。
【図１８】ＳＥＰ部分一致対応処理の具体的な処理手順の第１例について示すフローチャートである。
【図１９】ＳＥＰ部分一致対応処理の具体的な処理手順の第２例について示すフローチャートである。
【図２０】ＳＥＰ部分一致対応処理の具体的な処理手順の第３例について示すフローチャートである。
【図２１】送信対象ファイル登録リストについて示す図である。
【図２２】ポーリング送信不可通知レポート例について示す図である。
【図２３】送信対象ファイル選別処理の具体的な処理手順について示すフローチャートである。
【図２４】ＰＷＤ部分一致対応処理の具体的な処理手順の第１例について示すフローチャートである。
【図２５】ＰＷＤ部分一致対応処理の具体的な処理手順の第２例について示すフローチャートである。
【図２６】ＰＷＤ部分一致対応処理の具体的な処理手順の第３例について示すフローチャートである。
【図２７】ＰＷＤ部分一致対応処理の具体的な処理手順の第４例について示すフローチャートである。
【図２８】ポーリング送信不可通知レポート例について示す図である。
【符号の説明】
１  ファクシミリ装置
２  システム制御部
３  ＲＯＭ
３ａ  フォントテーブル
４  ＲＡＭ
４ａ  ＳＥＰファイル管理テーブル
４ｂ  抽出ＳＥＰファイル番号／ＰＷＤ番号テーブル
４ｃ  送信対象ファイル登録リスト
５  スキャナ
６  プロッタ
７  画像メモリ
８  符号化復号化部
９  操作表示部
１０  モデム
１１  網制御部
１２  システムバス
【図１】
0003761058.tif 000002
【図２】
0003761058.tif 000003
【図３】
0003761058.tif 000004
【図４】
0003761058.tif 000005
【図５】
0003761058.tif 000006
【図６】
0003761058.tif 000007
【図７】
0003761058.tif 000008
【図８】
0003761058.tif 000009
【図９】
0003761058.tif 000010
【図１０】
0003761058.tif 000011
【図１１】
0003761058.tif 000012
【図１２】
0003761058.tif 000013
【図１３】
0003761058.tif 000014
【図１４】
0003761058.tif 000015
【図１５】
0003761058.tif 000016
【図１６】
0003761058.tif 000017
【図１７】
0003761058.tif 000018
【図１８】
0003761058.tif 000019
【図１９】
0003761058.tif 000020
【図２０】
0003761058.tif 000021
【図２１】
0003761058.tif 000022
【図２２】
0003761058.tif 000023
【図２３】
0003761058.tif 000024
【図２４】
0003761058.tif 000025
【図２５】
0003761058.tif 000026
【図２６】
0003761058.tif 000027
【図２７】
0003761058.tif 000028
【図２８】
0003761058.tif 000029